(57)【要約】【課題】  ＵＰＳまたはその周辺盤の状態監視のための情報を一元的に収集できるとともに、収集した情報の中からモニタリング信号として出力する情報および出力する信号形態を選択できるモニタリング支援装置を提供する。【解決手段】  設定手段１３では、監視設備で必要とするモニタリング項目に関する情報の選択・設定を行う。選択手段１４では、設定手段１３によって設定されたモニタリング項目に関する情報を収集手段１１または保存手段１２から取り出して、変換手段１７で所定の伝送フォーマットに変換し、設定手段１３で設定された信号形態のモニタリング信号として、表示手段１５あるいは送出手段１６へ送り、送出手段１６から監視設備に送出される。このように、設定手段１３でモニタリング信号として出力する情報および出力する信号形態を選択・設定できるので、監視設備における監視項目の仕様変更に柔軟に対応できる。【選択図】  図２
2006296092.tif 000002
【特許請求の範囲】
【請求項１】
無停電電源装置またはその周辺盤の状態監視のための情報を収集する収集手段と、この収集手段により収集された情報を保存する保存手段と、モニタリング信号として出力する情報および出力する信号形態を選択し設定を行うための設定手段と、前記収集手段により収集された情報または前記保存手段に保存された情報の中から、前記設定手段により設定された情報を選択し、前記設定手段により設定された信号形態のモニタリング信号を得る選択手段と、選択された情報を所定のフォーマットに変換する変換手段とを備えたことを特徴とするモニタリング支援装置。
【請求項２】
前記選択手段で得られたモニタリング信号を表示する表示手段、および前記選択手段で得られたモニタリング信号を装置の外部へ送出する送出手段のうちの、少なくとも一方の手段を備えたことを特徴とする請求項１に記載のモニタリング支援装置。
【発明の詳細な説明】
【技術分野】
【０００１】
この発明は、無停電電源装置（以下、ＵＰＳと称する）ならびに周辺盤を含む電源設備の状態監視のための情報（状態・故障・計測値などの情報）のモニタリングを支援するモニタリング支援装置に関するものである。
【背景技術】
【０００２】
従来のＵＰＳの状態監視のための情報（状態・故障・計測値などの情報）のモニタリングでは、接点出力、指示計器（メータ）とトランスデューサ変換による計測値のアナログ信号出力、及びＵＰＳ機器のモニタリング信号を固有のデータ形式に格納した伝送データを組み合わせることにより、電源設備（電源システム）の監視に必要とされる情報を監視設備（例えば、中央監視設備）へ送出している。また一部の指示計器、計測ユニットでは警報（接点信号）、計測値（アナログ信号）を設定により選択して外部出力するもの（例えば、非特許文献１参照）や、計測値を伝送信号に変換して外部出力するもの（例えば、非特許文献２参照）が開発されている。
【０００３】
また、ＵＰＳの状態監視のための情報すなわちモニタリング情報を記憶し、外部の情報端末からの要求に応じて送出することも知られている（例えば、特許文献１参照）。
【非特許文献１】三菱電子式指示計器Ｓシリーズ・Ｅシリーズ  製品カタログ，                        三菱電機株式会社，２００３年４月
【非特許文献２】三菱電力計測ユニット＜総合カタログ＞，                        三菱電機株式会社，２００３年２月
【特許文献１】特開２０００−７８２２４号公報
【発明の開示】
【発明が解決しようとする課題】
【０００４】
従来のモニタリング装置は以上のように構成されており、かつ電源設備（電源システム）毎に必要とされるモニタリング項目が異なるため、設備設計段階から仕様を明確にし、機器製造時に仕様を満たすハードウェアの組み込みを行う必要があり、仕様変更が生じた場合は機器の構造変更を伴い設計の手戻りがあるなど、標準化が困難であり、設計効率が悪いなどの問題点があった。
【０００５】
この発明は上記のような課題を解決するために為されたものであり、ＵＰＳまたはその周辺盤の状態監視のための情報を一元的に収集できるとともに、収集した情報の中からモニタリング信号として出力する情報および出力する信号形態を選択できるモニタリング支援装置を提供することを目的とする。
【課題を解決するための手段】
【０００６】
上記目的を達成するために、この発明に係るモニタリング支援装置は、無停電電源装置またはその周辺盤の状態監視のための情報を収集する収集手段と、この収集手段により収集された情報を保存する保存手段と、モニタリング信号として出力する情報および出力する信号形態を選択し設定を行うための設定手段と、収集手段により収集された情報または保存手段に保存された情報の中から、設定手段により設定された情報を選択し、設定手段により設定された信号形態のモニタリング信号を得る選択手段と、選択された情報を所定のフォーマットに変換する変換手段とを備えたことを特徴とする。
【０００７】
さらに、選択手段で得られたモニタリング信号を表示する表示手段、および前記選択手段で得られたモニタリング信号を装置の外部へ送出する送出手段のうちの、少なくとも一方の手段を備えたものとすることもできる。
【発明の効果】
【０００８】
この発明によれば、モニタリング信号として出力する情報および出力する信号形態を選択できるように構成したので、例えば、外部に設けられた監視装置の監視項目の仕様変更に柔軟に対応することができる。
【発明を実施するための最良の形態】
【０００９】
以下、図面を参照して本発明の実施形態について詳細に説明する。なお、以下の図において、同符号は同一部分または対応部分を示す。
【００１０】
（実施の形態１）
以下、本発明の実施の形態１を図１に基づいて説明する。
【００１１】
図１は、本発明の実施の形態１に係るモニタリング支援装置のＵＰＳ機器内の位置付けを示す構成図である。図２は本発明の実施の形態１に係るモニタリング支援装置の機能構成を示すブロック図である。
【００１２】
図１において、１０はこの実施の形態１の主となるモニタリング支援装置であり、ＵＰＳ１、周辺盤２およびバッテリ３からなる電源設備のＵＰＳ１内に設けられている。
【００１３】
図２において、１１はＵＰＳ１の機器内の状態・故障・計測値などの検出情報を一元的に収集する収集手段（例えば複数のコネクタを有する構造のものであってもよい）、１２は収集手段１１で収集される検出情報を保存する保存手段、１３はモニタリング項目の選択、モニタリング信号の送出先および信号形態を設定するための設定手段、１４は設定手段１３で設定されたモニタリング項目に関する情報を選択し、モニタリング信号として送出する送出信号を準備する選択手段、１５はモニタリング信号の表示手段、１６はモニタリング信号の外部への送出手段である。１７は所定の伝送フォーマットの伝送データへの変換手段である。
【００１４】
また、２０は外部に設けられた監視設備で、ＵＰＳ１あるいは周辺盤２を含む電源設備と接続されるが、図１においては、監視設備２０はＵＰＳ１のモニタリング支援装置１０に接続された場合を示している。
【００１５】
次に動作について説明する。
【００１６】
図２に示すように、収集手段１１で収集された状態監視のための情報、すなわち状態・故障・計測値の各情報は保存手段１２に保存される。状態・故障信号など即時監視のために必要な信号は、保存手段１２への格納と並行して、選択手段１４に送ってもよい。保存手段１２と選択手段１４は接続されており、設定手段１３によって選択・設定されたモニタリング項目に関する情報は保存手段１２から取り出され、選択手段１４に送られる。表示手段１５および送出手段１６は選択手段１４と接続されており、設定手段１３によって設定された送出項目・点数と送出形態に基づき、選択手段１４はモニタリング信号を表示手段１５あるいは送出手段１６へ送る。送出手段１６は監視設備２０ヘモニタリング信号を送出する。変換手段１７では監視設備の要求仕様に合わせ各種のプロトコル仕様に基づく伝送フォーマットの伝送信号へのデータ変換を行う。
【００１７】
ここで、設定手段１３および選択手段１４の動作について、さらに詳細に説明する。
【００１８】
収集手段１１で収集された状態・故障・計測値の各情報としては、状態・故障を示す接点情報として、例えば、故障を示す接点情報、バッテリ運転を示す接点情報、インバータ給電を示す接点情報、バイパス運転を示す接点情報、蓄電池の電圧低下を示す接点情報などがある。また、計測値の情報としては、例えば、コンバータとインバータとの間の直流電圧・電流、インバータ出力の電圧・電流・周波数・電力、バイパス回路の電圧・電流・周波数・電力などがある。さらにこれらのインバータ出力およびバイパス回路の電圧・電流・周波数・電力については、三相分それぞれの電圧・電流・周波数・電力がある。
【００１９】
設定手段１３では、選択用のスイッチやキーボードなどを操作して、表示手段１５または監視装置２０で必要とするモニタリング項目に関する情報の選択・設定を行う。すなわち、収集手段１１で収集された情報のうち、表示手段１５または送出手段１６に出力する情報を選択し、選択された情報をどのような信号形態で出力するか、の設定を行う。また、モニタリング信号の送出先についてどこへ送出するかの設定を行うようにしてもよい。
【００２０】
たとえば、監視設備２０で、接点情報として、例えば故障を示す接点情報だけを必要とする場合は、接点情報としては設定手段１３によりこの故障を示す接点情報を選択して設定を行い、この設定に基づいて選択手段１４でこの故障を示す接点情報を選択し出力する。また、計測値の情報として、上述のように検出された計測値の情報のうち、特定箇所の計測値が必要な場合は、その情報を選択する。たとえば、監視設備２０で、コンバータとインバータとの間の直流電圧および電流と、インバータ出力の電圧および電流とを必要とする場合は、設定手段１３によりこれらを選択して設定を行い、この設定に基づいて選択手段１４でこれらを選択し出力する。なお、インバータ出力の電圧および電流のうち、三相分全てを選択したり、代表相のみを選択したりすることもできる。また、監視設備２０で、これらの計測の情報をアナログ値で必要とするときは、設定手段１３により例えばそのアナログ出力のレンジを設定し、選択手段１４からそのレンジのアナログ信号を出力する。
【００２１】
さらに、監視設備２０で必要とする所定の伝送フォーマットの伝送信号として出力するには、設定手段１３により、伝送フォーマットの選択・設定も行い、これに基づいて選択手段１４で情報を選択するとともに、変換手段１７により、選択された所定の伝送フォーマットに変換した後、送出手段１６に出力する。なお、伝送フォーマットとしては、Ｗｅｂで見ることのできるフォーマットとして例えばＭＩＢファイルが、また特定伝送形態用のフォーマットとして、例えばＢ／ＮＥＴ、ＣＣＬｉｎｋ、ＬＯＮＷＯＲＫＳ（登録商標）などの伝送フォーマットがあり、これらの中からあるいは独自の伝送プロトコルに基づく独自の伝送フォーマットから所定の伝送フォーマットを選択することができる。
【００２２】
以上のようにして選択手段１４で得られた、接点信号、アナログ信号、所定の伝送フォーマットの伝送信号などからなるモニタリング信号は、表示手段１５で表示され、あるいは送出手段１６から監視設備２０へ送出される。
【００２３】
以上説明したように、この実施の形態では、収集手段１１でＵＰＳの状態・故障・計測値の情報を一元的に収集するとともに、設定手段１３で、収集した情報の監視設備２０への送出項目と送出信号の形態を選択・設定できるように構成したので、監視設備２０の監視項目の仕様変更に柔軟に対応することができる。
【００２４】
（実施の形態２）
次に、本発明の実施の形態２について説明する。
【００２５】
実施の形態１では、モニタリング装置１０により無停電電源装置（ＵＰＳ）の状態・故障・計測値の検出を行う場合について述べたが、この実施の形態２は、図３に示すように、ＵＰＳの周辺盤２にモニタリング支援装置１０を設けたものである。
【００２６】
このように、モニタリング支援装置１０を設けることにより、周辺の電源設備についても、状態・故障・計測値などの検出情報のモニタリングを行うことができる。
【００２７】
そして，この実施の形態においても、設定手段で、収集した情報の監視設備への送出項目と送出信号の形態を選択・設定できるように構成することにより、監視項目の仕様変更に柔軟に対応することができる。
【００２８】
（実施の形態３）
次に、本発明の実施の形態３について説明する。
【００２９】
実施の形態１では、モニタリング支援装置１０内の設定手段１３によりモニタリング信号の項目の設定を行う場合について述べたが、この実施の形態３は、図４に示すように、モニタリング支援装置１０内の設定手段１３とは別に、外部設定手段１８を設けたものである。
【００３０】
このように、外部設定手段１８を設け、装置外部から設定を行うようにしたので、機器設計後あるいは機器据付後の仕様変更に対し、外部から変更を行うことができる。
【００３１】
（実施の形態４）
次に、本発明の実施の形態４について説明する。
【００３２】
実施の形態１、２ではモニタリング支援装置１０をＵＰＳ１の機器本体あるいは周辺盤２を含む電源設備に使用する場合について述べたが、この実施の形態４は、図５に示すようにモニタリング支援装置１０をユニット構造１９としたものである。
【００３３】
このように、モニタリング支援装置１０をユニット構造１９とすることにより、ＵＰＳ機器１あるいは周辺盤２の内部幹線への実装を容易にし、機器の構造設計の標準化を図ることができる。
【００３４】
なお、モニタリングユニット１９には、図示のように、指示計器（メータ）、トランスデューサ、あるいは計測器等を実装し、モニタリング支援装置１０と一体化しても良い。
【００３５】
以上説明したように、この実施の形態では、モニタリング支援装置はユニットとして機器（閉鎖盤）に組み込むことができるので、設備設計・機器設計の標準化を図ることができる。
【図面の簡単な説明】
【００３６】
【図１】本発明の実施の形態１を説明するための機器構成図。
【図２】本発明の実施の形態１における機能構成を説明するためのブロック図。
【図３】本発明の実施の形態２を説明するための機器構成図。
【図４】本発明の実施の形態３における機能構成を説明するためのブロック図。
【図５】本発明の実施の形態４を説明するための機器構成図。
【符号の説明】
【００３７】
１…ＵＰＳ
２…周辺盤
３…バッテリ
１０…モニタリング支援装置
１１…収集手段
１２…保存手段
１３…設定手段
１４…選択手段
１５…表示手段
１６…送出手段
１７…変換手段
１８…外部設定手段
１９…ユニット構造
２０…監視設備
【図１】
2006296092.tif 000003
【図２】
2006296092.tif 000004
【図３】
2006296092.tif 000005
【図４】
2006296092.tif 000006
【図５】
2006296092.tif 000007